(57)【特許請求の範囲】
【請求項１】
窓枠と、この窓枠に、操作手段の所定の操作により、全閉位置から全開位置まで、自由に開閉操作することができるように装着されている障子との間に設けられ、前記障子の開度を制限する装置であって、
軸部の先端に拡大頭部を有し、前記窓枠と障子との対向部のいずれか一方に、前記頭部が他方の対向面に向かって進退可能として設けられた有頭ピンと、
前記窓枠と障子との対向部のいずれか一方に設けられ、かつ前記有頭ピンを進退させることができる操作手段であって、全閉位置から全開位置まで、自由に開閉操作することができる前記操作手段と単一に構成された操作手段と、
前記窓枠と障子との対向部のいずれか他方に、先端部が障子の開閉方向に回動可能、かつそれと直交する方向に傾動可能として基端部が枢着され、前記障子を閉じた状態で、前記有頭ピンの頭部が進退可能とした拡大孔、およびこの拡大孔より先端部に向かって延出し、幅を前記有頭ピンの軸部の外形より大、かつ前記有頭ピンの頭部の外形より小としたガイド溝が設けられ、さらに前記ガイド溝の先端部と一方の側縁との間に、前記基端部に向かって漸次拡幅する楔状部が設けられ、障子を制限開度まで開いたとき、前記有頭ピンの軸部がガイド溝の先端部に係合して、障子のそれ以上の開きを阻止するようにしたアームと、
前記有頭ピンに近接して、前記窓枠と障子との対向部のいずれか一方に設けられ、障子を制限開度まで開いた状態で、前記有頭ピンを引き込ませて、前記アームの先端部を前記対向部のいずれか一方寄りに傾動させたとき、前記アームの楔状部を、前記有頭ピンの軸部とともに挟んで、前記有頭ピンが前記アームの基端部側に移動するのを阻止するようにした突起と、
前記窓枠と障子との対向部のいずれか他方に設けられ、前記アームを、その先端部が前記対向部のいずれか一方から離れる方向に付勢する付勢手段
とを備えることを特徴とする窓の開度制限装置。
【請求項２】
窓枠と障子との対向部のいずれか一方に、有頭ピンが進退しうるようにしたガイド孔を設けた補強板を固着し、この補強板に突起を設けた請求項１記載の窓の開度制限装置。
【請求項３】
操作手段を、
窓枠と障子とのいずれか一方の室内側の面に取付けられたケースと、
前記ケースに回転可能として設けられ、かつ背面の偏心部に係合ピンが突設された回転つまみと、
前記ケース内に、有頭ピンの進退方向と同方向に直線移動可能として収容され、室内側の面に、前記係合ピンが嵌合するようにした前記有頭ピンの進退方向と直交する方向を向く長孔が設けられ、かつ背面に、前記有頭ピンの中間部に設けた縮径部を把持する二股状の把持部が設けられ、前記回転つまみの回転に連動して、前記有頭ピンを進退させる移動部材
とを備えるものとした請求項１または２記載の窓の開度制限装置。
【請求項４】
アームの基端部に設けた軸孔を、窓枠と障子との対向部のいずれか一方に突設した枢軸に遊嵌することにより、前記アームを枢軸の軸線回りに回動可能、かつ枢軸に対して傾動可能とし、さらに、付勢手段を、コイル部が前記枢軸に外嵌するようにして、前記窓枠と障子との対向部のいずれか一方と前記アームとの間に縮設され、前記コイル部の一方の端部から延出する延出端部が前記窓枠と障子との対向部のいずれか一方に係止され、かつ前記コイル部の他方の端部から延出する延出端部が前記アームに係止されることにより、前記アームを、先端部が前記窓枠と障子との対向部のいずれか一方に近接する基準位置に向かって付勢するようにしたねじりコイルばねとした請求項１〜３のいずれかに記載の窓の開度制限装置。
【発明の詳細な説明】
【技術分野】
【０００１】
本発明は、窓を予め定めた開度以上に開かないようにすることにより、幼児の転落防止や、狭所地での開度制限を図ることができるようにした窓の開度制限装置に関する。
【背景技術】
【０００２】
従来のこの種の装置には、建物の躯体に取付けた枠体と、枠体に開閉自在に配置した窓体との間において、枠体にアームを枢着し、かつ窓体に、アームに設けた案内溝の基端部における大径の係脱部に係脱しうるようにしたピンを、切替スイッチの操作により、上記案内溝に係合しうる突出位置と、案内溝から離脱する退避位置とに出没しうるように設け、ピンを突出位置とした状態で、窓体を開くと、ピンと案内溝との係合により、アームが回動させられ、ピンが案内溝の先端に係合することにより、窓体のそれ以上の開きが阻止されるようになっている。
【０００３】
また、アームにおける案内溝の先端に、ほぼ直角方向を向く係止部を設け、ここにピンが係合することにより、制限開度まで開いている窓体が、例えば強風にあおられても、不意に閉じられることがないようにしてある。
窓体を、上記の状態から閉じるには、切替スイッチとは別に、枠体に設けた操作スイッチにより、アームを回動させて、ピンを案内溝の係止部から離脱させ、その状態で、窓体を閉じるようになっている(例えば特許文献１参照)。
【０００４】
さらに、制限開度まで開いている窓体が、強風にあおられて、不意に閉じられるのを防止する手段として、上記のようなピンが、アームの先端部に設けたばね板に弾性係合し、保持されるようにしたものもある(例えば特許文献２参照)。
【先行技術文献】
【特許文献】
【０００５】
【特許文献１】特開２００７−１７０１２７号公報
【特許文献２】特開２００５−２５６６０１号公報
【発明の概要】
【発明が解決しようとする課題】
【０００６】
特許文献１に記載されている装置においては、窓体に切替スイッチを設ける他に、枠体に操作スイッチを設けなければならず、構造が複雑になるだけでなく、操作が煩雑になるという問題がある。
【０００７】
特許文献２に記載されている装置においては、ばね板によるピンの拘束力を大とすると、窓体を閉めにくくなり、逆に、上記拘束力を小とすると、わずかの風でも窓体が不意に閉まるおそれがあり、その調整が面倒であり、また、窓を全開可能状態と、開度制限状態とに切り換える切換ノブが、シール材を跨いで取付けられるので、シール性能が低下し、寒冷地においては、そこから流入した冷気によって、切換ノブが凍結し、作動不能となるおそれがある。
【０００８】
本発明は、従来の技術が有する上記のような問題点に鑑みてなされたもので、単一の操作手段のみで、窓を全開可能状態と、開度制限状態とに切り換えることができるだけでなく、窓を制限開度まで開いた状態でロックおよびロック解除操作することができ、操作性を向上しうるとともに、構造を簡素化することができ、しかも、シール材を跨ぐことなく取付けることができ、もって、シール性能を維持し、寒冷地における凍結防止性能を維持しうるようにした窓の開度制限装置を提供することを目的としている。
【課題を解決するための手段】
【０００９】
本発明によると、上記課題は、次のようにして解決される。
（１）窓枠と、この窓枠に、操作手段の所定の操作により、全閉位置から全開位置まで、自由に開閉操作することができるように装着されている障子との間に設けられ、前記障子の開度を制限する装置であって、軸部の先端に拡大頭部を有し、前記窓枠と障子との対向部のいずれか一方に、前記頭部が他方の対向面に向かって進退可能として設けられた有頭ピンと、前記窓枠と障子との対向部のいずれか一方に設けられ、かつ前記有頭ピンを進退させることができる操作手段であって、全閉位置から全開位置まで、自由に開閉操作することができる前記操作手段と単一に構成された操作手段と、前記窓枠と障子との対向部のいずれか他方に、先端部が障子の開閉方向に回動可能、かつそれと直交する方向に傾動可能として基端部が枢着され、前記障子を閉じた状態で、前記有頭ピンの頭部が進退可能とした拡大孔、およびこの拡大孔より先端部に向かって延出し、幅を前記有頭ピンの軸部の外形より大、かつ前記有頭ピンの頭部の外形より小としたガイド溝が設けられ、さらに前記ガイド溝の先端部と一方の側縁との間に、前記基端部に向かって漸次拡幅する楔状部が設けられ、障子を制限開度まで開いたとき、前記有頭ピンの軸部がガイド溝の先端部に係合して、障子のそれ以上の開きを阻止するようにしたアームと、前記有頭ピンに近接して、前記窓枠と障子との対向部のいずれか一方に設けられ、障子を制限開度まで開いた状態で、前記有頭ピンを引き込ませて、前記アームの先端部を前記対向部のいずれか一方寄りに傾動させたとき、前記アームの楔状部を、前記有頭ピンの軸部とともに挟んで、前記有頭ピンが前記アームの基端部側に移動するのを阻止するようにした突起と、前記窓枠と障子との対向部のいずれか他方に設けられ、前記アームを、その先端部が前記対向部のいずれか一方から離れる方向に付勢する付勢手段とを備えることを特徴とする窓の開度制限装置とする。
【００１０】
このような構成とすると、操作手段により、有頭ピンを、アームの拡大孔から離脱した位置に保持しておくことにより、障子を、この開度制限装置に拘束されることなく、自由に全開位置まで開くことができる。
操作手段により、有頭ピンを、アームの拡大孔に嵌合させておくと、障子を開いたとき、有頭ピンの頭部がアームのガイド溝の側面に係合した状態で、有頭ピンの軸部がアームのガイド溝に沿って摺動しつつ、アームは回動させられ、有頭ピンの軸部がアームのガイド溝の先端に当接すると、障子は制限開度で停止させられ、それ以上開くことができなくなる。
この状態で、操作手段により、有頭ピンを引き込ませると、有頭ピンの拡大頭部によって、アームの先端部は、付勢手段の付勢力に抗して、窓枠と障子との対向部のいずれか一方に当接するまで傾動させられ、また、アームの楔状部は、有頭ピンの軸部と突起とにより挟まれて、障子の制限開度から閉方向への移動が阻止され(ロック状態)、強風等の煽りによる障子の閉止を防止することができる。
また、操作手段により、有頭ピンを進出させると、アームの先端部は、付勢手段の付勢力によって、上記突起から離脱する位置まで復帰傾動し(ロック解除状態)、それ以後は、有頭ピンの軸部が、ガイド溝に沿って上記と逆方向に摺動しつつ、アームが上記と逆方向に回動することにより、障子をもとの閉止状態まで閉めることができる。
このように、単一の操作手段のみで、窓を全開可能状態と、開度制限状態とに切り換えることができるだけでなく、窓を制限開度まで開いた状態でロックおよびロック解除操作することができ、操作性を向上することができる。
また、操作手段を一箇所に設けるだけでよいので、構造を簡素化することができ、しかも、シール材を跨ぐことなく各部材を取付けることができ、もって、シール性能を維持し、寒冷地における凍結防止性能を維持することができる。
【００１１】
（２）上記(１)項において、窓枠と障子との対向部のいずれか一方に、有頭ピンが進退しうるようにしたガイド孔を設けた補強板を固着し、この補強板に突起を設ける。
【００１２】
このような構成とすると、有頭ピンを安定よくガイドすることができるだけでなく、突起の支持強度を高め、開度制限状態での障子の保持力を高めることができる。
【００１３】
（３）上記(１)または(２)項において、操作手段を、窓枠と障子とのいずれか一方の室内側の面に取付けられたケースと、前記ケースに回転可能として設けられ、かつ背面の偏心部に係合ピンが突設された回転つまみと、前記ケース内に、有頭ピンの進退方向と同方向に直線移動可能として収容され、室内側の面に、前記係合ピンが嵌合するようにした前記有頭ピンの進退方向と直交する方向を向く長孔が設けられ、かつ背面に、前記有頭ピンの中間部に設けた縮径部を把持する二股状の把持部が設けられ、前記回転つまみの回転に連動して、前記有頭ピンを進退させる移動部材とを備えるものとする。
【００１４】
このような構成とすると、操作手段の構成を簡素化し、安価に製造することができる。
【００１５】
（４）上記(１)〜(３)項のいずれかにおいて、アームの基端部に設けた軸孔を、窓枠と障子との対向部のいずれか一方に突設した枢軸に遊嵌することにより、前記アームを枢軸の軸線回りに回動可能、かつ枢軸に対して傾動可能とし、さらに、付勢手段を、コイル部が前記枢軸に外嵌するようにして、前記窓枠と障子との対向部のいずれか一方と前記アームとの間に縮設され、前記コイル部の一方の端部から延出する延出端部が前記窓枠と障子との対向部のいずれか一方に係止され、かつ前記コイル部の他方の端部から延出する延出端部が前記アームに係止されることにより、前記アームを、先端部が前記窓枠と障子との対向部のいずれか一方に近接する基準位置に向かって付勢するようにしたねじりコイルばねとする。
【００１６】
このような構成とすると、１個のねじりコイルばねのみにより、アームに、枢軸の軸線回りの復帰回動力と、枢軸に対する復帰傾動力とを付与することができ、構造は簡素化されて、安価に製造することができる。
【発明の効果】
【００１７】
本発明によると、単一の操作手段のみで、窓を全開可能状態と、開度制限状態とに切り換えることができるだけでなく、窓を制限開度まで開いた状態でロックおよびロック解除操作することができ、操作性を向上しうるとともに、構造を簡素化することができ、しかも、シール材を跨ぐことなく取付けることができ、もって、シール性能を維持し、寒冷地における凍結防止性能を維持しうるようにした窓の開度制限装置を提供することができる。
【図面の簡単な説明】
【００１８】
【図１】本発明の開度制限装置の一実施形態を備える窓を、制限開度まで開いたときの状態を、室内の斜め前方より見たときの概略斜視図である。
【図２】同じく、窓の閉止時における開度制限装置装着部分の拡大正面図である。
【図３】図２のIIIーIII線横断平面図である。
【図４】図２のIVーIV線縦断側面図である。
【図５】図２のVーV線縦断側面図である。
【図６】障子を制限開度まで開いたときにおける障子を、図２のVIーVI線で横断したときの平面図である。
【図７】図６のVIIーVII線矢視図である。
【図８】図７のVIIIーVIII線縦断正面図である。
【図９】操作手段の分解斜視図である。
【発明を実施するための形態】
【００１９】
以下、本発明の一実施形態を備える窓を、添付図面に基づいて説明する。
図１に示すように、この窓は、方形の窓枠１と、この窓枠１に開閉自在に装着された障子２と、窓枠１と障子２との間に設けられ、障子の開度を制限する開度制限装置３とを備えている。
【００２０】
窓枠１は、左右方向を向く上枠４と下枠５との両端部同士を、上下方向を向く左右１対の側枠６、６をもって結合したものよりなっている。
【００２１】
障子２は、方形の窓框８に板ガラス７を嵌め込んでなり、窓框８は、左右方向を向く上框９と下框１０との両端部同士を、上下方向を向く左右１対の側框１１、１１をもって結合したものよりなっている。
なお、左側の側框１１は、左側の側枠６の後方にあるため、図１では表れていない。
【００２２】
障子２は、図１では表れていない左方の側框１１の上下部を、上下方向を向くヒンジ軸を有する上下１対のヒンジ(図示略)をもって、窓枠１の左方の側枠６に枢着され、ヒンジを中心として、右側部が、窓枠１に対して、図１における後方である室外側に向かって開閉しうるようになっている。
【００２３】
障子２における右方の開き側の側框１１の前面中央よりやや下部には、ハンドル１２が設けられている。このハンドル１２を回動させることにより、障子２を閉止状態でロックしたり、ロック解除したりしうるようになっているが、その構成は、本発明には直接関係しないので、それについての詳細な説明および図示は省略する。
【００２４】
開度制限装置３は、窓枠１における右方の側枠６と、障子２における右方の側框１１との間に設けられている。
すなわち、図２〜図９に示すように、開度制限装置３は、軸部１３ａの先端に拡大頭部１３ｂを有し、右方の側框１１における上下方向の中間部に、右方の側枠６の対向面に向かって左右方向に進退可能として設けられた有頭ピン１３と、右方の側框１１に設けられ、かつ有頭ピン１３を進退させる操作手段１４と、有頭ピン１３に対向する右方の側枠６の内側面に固着した取付板１５に、枢軸１６をもって上端部が枢着されたアーム１７とを備えている。
【００２５】
図２および図４に示すように、取付板１５は、上下方向を向く取付片１５ａの上下部に設けた上下方向に長い長孔１８ａを挿通する固定ねじ１８ｂをもって、側枠６の内側面に、上下方向の取付位置調節可能として固着されている。
取付片１５ａの前縁および上下の縁には、前片１５ｂ、上片１５ｃおよび下片１５ｄが、それぞれ直角に折曲形成されている。
【００２６】
アーム１７は、その上端部(基端部)に設けられ、取付板１５の取付片１５ａに突設した枢軸１６の軸部１６ａの外径より大径で、かつ軸部１６ａの先端に形成した拡径頭部１６ｂの外径より小径とした軸孔１９を、枢軸１６の軸部１６ａに遊嵌することにより、閉扉時には下方を向く先端部が、障子２の開閉方向である前後方向に回動可能、かつそれと直交する方向に傾動可能として取付板１５に枢着されている。
【００２７】
付勢手段であるねじりコイルばね２０は、コイル部２０ａを、枢軸１６の軸部１６ａに外嵌するようにして、取付片１５ａとアーム１７との間に縮設し、コイル部２０ａの一方の端部から接線方向に延出する延出端部２０ｂを、取付板１５の前片１５ｂの後面に係止し、かつコイル部２０ａの他方の端部から接線方向に延出する延出端部２０ｃを、アーム１７の上部後縁に係止してある。
【００２８】
ねじりコイルばね２０のコイル部２０ａは、取付片１５ａとアーム１７との間において圧縮コイルばねとして作用し、アーム１７を枢軸１６の拡径頭部１６ｂに圧接するように付勢し、それによって、アーム１７は、常時は枢軸１６の拡径頭部１６ｂに圧接し、枢軸１６と直交する方向を向いているが、先端部が外力により左右いずれかの方向に傾動させられた場合でも、外力が解除されたときは、枢軸１６と直交する位置に復帰傾動させられるようになっている。
【００２９】
また、ねじりコイルばね２０は、その延出端部２０ｂを、取付板１５の前片１５ｂの後面に係止し、かつ延出端部２０ｃを、アーム１７の上部後縁に係止してあることにより、アーム１７を、枢軸１６を中心として、図４における反時計回りにも付勢している。
【００３０】
したがって、アーム１７は、ねじりコイルばね２０により、枢軸１６を中心として、図４における反時計回りに付勢されているだけでなく、枢軸１６と直交する位置に復帰傾動させられるようにも付勢され、常時は、先端部が下方を向き、前縁が取付板１５の前片１５ｂに当接し、かつ全体が枢軸１６と直交し、右方の側枠６の内側面とほぼ平行をなす、図２に破線で、かつ図４に実線で示す基準位置に位置するように、枢軸１６を中心とする回動方向と、枢軸１６に対する傾動方向とに付勢されている。
また、障子２を制限開度まで開いたときは、アーム１７は、ねじりコイルばね２０により、図６に実線で示すように、先端部が障子２の外側面に密接している状態から、同じく２点鎖線で示すように、障子２の外側面から離れる方向に傾動するようにも付勢されている。
【００３１】
アーム１７における軸孔１９より若干下方の部分には、障子２を閉じた状態で、有頭ピン１３の拡大頭部１３ｂが進退しうるようにした拡大孔２１が設けられている。
また、アーム１７における拡大孔２１からアーム１７の先端部にかけては、幅を有頭ピン１３の軸部１３ａの外径より大、かつ有頭ピン１３の拡大頭部１３ｂの外径より小とし、かつ拡大孔２１から後方に延出した後、下方に向かって円弧状に湾曲するガイド溝２２が設けられている。
【００３２】
さらに、アーム１７におけるガイド溝２２の先端部とアーム１７の前縁との間には、基端部である上方に向かって漸次拡幅する楔状部２３が設けられている。
【００３３】
図２に破線で示すように、アーム１７の先端寄りの部分は、障子２を制限開度まで開いたとき、図６に示すように、アーム１７の先端部が障子２の側框１１の外側面になじむように、円弧状に湾曲させてある。
【００３４】
図５および図９に示すように、操作手段１４は、障子２における右方の側框１１の前面に、上下１対の固定ねじ２４をもって固着された、後面が開口する直方体状のケース２５と、このケース２５に回転可能として設けられ、かつ背面の偏心部に係合ピン２６が突設された回転つまみ２７と、ケース２５内に、有頭ピン１３の進退方向と同じ左右方向に直線移動可能として収容され、前面に、係合ピン２６が嵌合するようにした上下方向を向く長孔２８が設けられ、かつ背面に、側框１１の前面に設けた窓孔２９を通って、側框１１内に進入し、有頭ピン１３の基端寄りの中間部に設けた縮径部１３ｃを把持する二股状の把持部３０が設けられ、回転つまみ２７の回転に連動して、有頭ピン１３を左右方向に進退させる移動部材３１と、ケース２５の後面開口部を閉塞する後面カバー３２とを備えている。
【００３５】
ケース２５のほぼ中央には、円形孔３３と、その後方の拡径段孔３４とが連続して設けられ、拡径段孔３４の外周の対向する２箇所には、円弧状の凹入部３５が設けられている。
【００３６】
回転つまみ２７は、円板部２７ａの後部に拡径段部２７ｂを備え、円板部２７ａの前面に、ケース２５の前面より前方に板状に突出するつまみ部２７ｃが突設され、円板部２７ａがケース２５の円形孔３３に、かつ拡径段部２７ｂがケース２５の拡径段孔３４にそれぞれ回転可能として嵌合されている。
【００３７】
拡径段部２７ｂの外周面の対応する２箇所には、同一回転方向に屈曲させられた弾性舌片３６が設けられ、各弾性舌片３６が、ケース２５の拡径段孔３４に設けられた凹入部３５に嵌合しているときは、回転つまみ２７は、ケース２５に安定よく保持され、回転つまみ２７をそれ以外の位置に回転させたときは、弾性舌片３６は拡径段孔３４の内周面に圧接し、回転つまみ２７の回転操作に適度の抵抗力を付与するようになっている。
【００３８】
回転つまみ２７における弾性舌片３６と係合ピン２６との位置関係は、両弾性舌片３６が上下の凹入部３５に嵌合しているとき、係合ピン２６が、その回転軌跡の左限か右限に位置するようにしてある。それによって、係合ピン２６が長孔２８に係合している移動部材３１が、有頭ピン１３を左限において保持する位置と、右限において保持する位置とにおいて、安定よく保持され、その中間位置においては、移動部材３１および有頭ピン１３の左右方向の移動に適度の抵抗力が付与されるようになっている。
【００３９】
後面カバー３２には、移動部材３１の把持部３０が、左限から右限まで移動可能として挿通する窓孔３７が設けられている。
後面カバー３２は、その上縁および下縁における左右の両側部に設けられた前方を向く弾性係合爪３８を、ケース２５の上下部に設けられた左右方向を向くリブ２５ａの両側部に設けた係合孔３９に係止することにより、ケース２５の後面に装着され、ケース２５を側框１１に取付ける前に、回転つまみ２７および移動部材３１がケース２５から脱落するのを防止するようにしてある。
【００４０】
ケース２５と回転つまみ２７と移動部材３１と後面カバー３２とにより、操作手段１４が形成されている。
【００４１】
図６〜図８に示すように、有頭ピン１３が突出している側框１１の外側面には、有頭ピン１３が進退しうるようにしたガイド孔４０を設けた補強板４１が固着されている。
この補強板４１には、ガイド孔４０と連通し、かつ側框１１の外側壁を貫通して、側框１１内に進入するガイド筒４２が一体的に形成されている。
【００４２】
補強板４１の外側面におけるガイド孔４０より下方の部分には、前後方向を向く突起４３が設けられている。
この補強板４１におけるガイド孔４０の下縁から突起４３の上面までの距離は、アーム１７における楔状部２３の最も狭い部分の幅とほぼ等しいか、それよりわずかに大としてある。
【００４３】
図３に示すように、障子２を閉じたときにおける窓枠１と障子２との気密性を高めるため、窓枠１の室外側の面である後面に対向する障子２の窓框８の外周部の前面と、障子２の室内側における窓框８の外周部の前面に対向する窓枠１の内周部の後面とには、シール材４４、４５が、全周に亘って設けられている。
【００４４】
この開度制限装置３によると、操作手段１４により、有頭ピン１３を、その拡大頭部１３ｂが補強板４１の外側面に当接するか、または近接する左限に位置させられているときは、拡大頭部１３ｂは、アーム１７の拡大孔２１より窓の内方に離間しており、この状態では、障子２は、開度制限装置３に妨げられることなく、全閉位置から全開位置まで、自由に開閉することができる。
【００４５】
障子２が閉じている状態で、操作手段１４により、有頭ピン１３を右限まで進出させると、その拡大頭部１３ｂは、アーム１７の拡大孔２１内に進入し、その状態で障子２を開くと、有頭ピン１３の軸部１３ａが、アーム１７の拡大孔２１からガイド溝２２の後縁に摺接して、アーム１７を、ねじりコイルばね２０の付勢力に抗して、枢軸１６を中心として後方に回動させる。
【００４６】
このとき、有頭ピン１３の拡大頭部１３ｂは、アーム１７の外側面に摺接または近接し、有頭ピン１３がガイド溝２２から脱落するのを防止する。
【００４７】
障子２が制限開度まで開かれると、図６に２点鎖線で示すように、有頭ピン１３の軸部１３ａが、アーム１７のガイド溝２２の先端に当接し、それ以上の障子２の開きが阻止される。
【００４８】
このままの状態では、強風等により、障子２が煽られると、有頭ピン１３の軸部１３ａがアーム１７のガイド溝２２を上記と逆の経路を辿ることにより、アーム１７が、ねじりコイルばね２０の付勢力によって、元の下向きの基準位置まで復帰させられ、障子２は閉止させられる。
【００４９】
このような強風等による障子２の閉止を防止するには、障子２が制限開度まで開いている状態で、操作手段１４により、有頭ピン１３を左限方向に移動させ、有頭ピン１３の拡大頭部１３ｂにより、アーム１７の先端部を、ねじりコイルばね２０におけるコイル部２０ａの付勢力に抗して、窓の内方に向かって傾動させ、図６に実線で示すように、補強板４１の外側面に当接させるか、または近接させる。
【００５０】
すると、アーム１７の楔状部２３の最狭幅部が、有頭ピン１３と突起４３とにより上下から挟まれ、有頭ピン１３がガイド溝２２に沿って、拡大孔２１側に復帰移動するのが阻止され、それによって、障子２の制限開度から閉方向への移動が阻止され(ロック状態)、強風の煽り等による障子の閉止が防止される。
【００５１】
この状態から、障子２を閉めたい場合には、操作手段１４により、有頭ピン１３を右限まで進出させる。すると、アーム１７の先端部は、ねじりコイルばね２０におけるコイル部２０ａの付勢力により、図６に２点鎖線で示すように、窓の外側方に向かって傾動させられる。
【００５２】
その状態で、ハンドル１２をもって、障子２を閉方向に回動させると、有頭ピン１３の軸部１３ａは、アーム１７のガイド溝２２を上記と逆の経路を辿り、アーム１７が、ねじりコイルばね２０の付勢力によって、元の下向きの基準位置まで復帰させられ、障子２を閉止位置まで軽力で閉じることができる。
【００５３】
したがって、単一の操作手段１４のみで、窓を全開可能状態と、開度制限状態とに切り換えることができるだけでなく、窓を制限開度まで開いた状態でロックおよびロック解除操作することができ、操作性を向上することができる。
また、操作手段１４を一箇所に設けるだけでよいので、構造を簡素化することができ、しかも、シール材４４、４５を跨ぐことなく、各部材を取付けることができるので、優れたシール性能を発揮し、かつ寒冷地における凍結防止性能を維持することができる。
【００５４】
なお、操作手段１４は、上記のようなケース２５と回転つまみ２７と移動部材３１と後面カバー３２とからなるものだけでなく、有頭ピン１３を進退させうるものであれば、どのような構成のものでもよい。
【００５５】
また、本発明は、上記実施形態のみに限定されるものではなく、特許請求の範囲を逸脱しない範囲で、例えば次のような変形した態様での実施が可能である。
(１)  有頭ピン１３とその操作手段１４とを、窓枠１に設け、アーム１７を、有頭ピン１３に対向する障子２の側框１１に設ける。
(２)  横辷り出し窓における窓枠の下枠と障子の下框との間、同じく窓枠の側枠と側框との間に、開度制限装置３を設ける。
(３)  縦辷り出し窓における窓枠の下枠と障子の下框との間、同じく窓枠の上枠と障子の上框との間、同じく戸先側の窓枠の側枠と障子の側框との間に、開度制限装置３を設ける。
【符号の説明】
【００５６】
１  窓枠
２  障子
３  開度制限装置
４  上枠
５  下枠
６  側枠
７  板ガラス
８  窓框
９  上框
１０  下框
１１  側框
１２  ハンドル
１３  有頭ピン
１３ａ軸部
１３ｂ拡大頭部
１３ｃ縮径部
１４  操作手段
１５  取付板
１５ａ取付片
１５ｂ前片
１５ｃ上片
１５ｄ下片
１６  枢軸
１６ａ軸部
１６ｂ拡径頭部
１７  アーム
１８ａ長孔
１８ｂ固定ねじ
１９  軸孔
２０  ねじりコイルばね
２０ａコイル部
２０ｂ、２０ｃ延出端部
２１  拡大孔
２２  ガイド溝
２３  楔状部
２４  固定ねじ
２５  ケース
２５ａリブ
２６  係合ピン
２７  回転つまみ
２７ａ円板部
２７ｂ拡径段部
２７ｃつまみ部
２８  長孔
２９  窓孔
３０  把持部
３１  移動部材
３２  後面カバー
３３  円形孔
３４  拡径段孔
３５  凹入部
３６  弾性舌片
３７  窓孔
３８  弾性係合爪
３９  係合孔
４０  ガイド孔
４１  補強板
４２  ガイド筒
４３  突起
４４、４５  シール材
【図１】
0006037645.tif 000002
【図２】
0006037645.tif 000003
【図３】
0006037645.tif 000004
【図４】
0006037645.tif 000005
【図５】
0006037645.tif 000006
【図６】
0006037645.tif 000007
【図７】
0006037645.tif 000008
【図８】
0006037645.tif 000009
【図９】
0006037645.tif 000010